(57)【要約】  オフセットリトグラフ印刷用インキのための湿し水（ｆｏｕｎｔａｉｎ  ｓｏｌｕｔｉｏｎ）が、水と、１種以上の界面活性剤とを含み、３０ダイン／ｃｍ未満の動的表面張力を有する。湿し水は、湿し水とオフセットリトグラフ印刷用インキとの間の、１０ダイン／ｃｍ未満の界面張力を更に有することができる。湿し水を適用する本刷りの印刷ロスが、５％未満に削減される。オフセットリトグラフ印刷システムは、湿し水およびオフセットリトグラフ印刷用インキを含み、オフセットリトグラフ印刷システムの印刷ロスは、５％未満である。
2013544680.tif 000002
【特許請求の範囲】
【請求項１】
（ａ）水と、
（ｂ）オクチルピロリドンおよびアルキルチオエーテルの群から選択される１種以上の界面活性剤と
を含み、
（ｃ）３０ダイン／ｃｍ未満の動的表面張力
を有する、オフセットリトグラフ印刷用インキのための湿し水。
【請求項２】
（ｄ）湿し水とオフセットリトグラフ印刷用インキの間の、１０ダイン／ｃｍ未満の界面張力、
を更に有する、請求項１に記載の湿し水。
【請求項３】
（ｅ）ヒドロトロープ、
を更に含む、請求項１に記載の湿し水。
【請求項４】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項３に記載の湿し水。
【請求項５】
ヒドロトロープが、エチルヘキシル硫酸ナトリウムである、請求項４に記載の湿し水。
【請求項６】
湿し水が、エッチ液（ｆｏｕｎｔａｉｎ  ｅｔｃｈ）の水性希釈液であり、湿し水の前記動的表面張力が、表面寿命（ｓｕｒｆａｃｅ  ａｇｅ）０．１秒およびエッチ液濃度５重量％で測定されたものである、請求項１〜５のいずれか１項に記載の湿し水。
【請求項７】
前記界面張力が、表面寿命１００秒およびエッチ液濃度５重量％で測定されたものである、請求項２〜６のいずれか１項に記載の湿し水。
【請求項８】
（ａ）水と、
（ｂ）１種以上の界面活性剤を含むエッチ液と、
を含み、
動的表面張力が、表面寿命０．１秒およびエッチ液濃度５重量％で３０ダイン／ｃｍ未満である、オフセットリトグラフ印刷用インキのための湿し水。
【請求項９】
（ｃ）表面寿命１００秒およびエッチ液濃度５重量％で１０ダイン／ｃｍ未満の、湿し水とオフセットリトグラフ印刷用インキの間の界面張力、
を更に有する、請求項８に記載の湿し水。
【請求項１０】
１種以上の界面活性剤が、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体からなる群より選択される、請求項８または９に記載の湿し水。
【請求項１１】
１種以上の界面活性剤が、オクチルピロリドンおよびアルキルチオエーテルからなる群より選択される、請求項１０に記載の湿し水。
【請求項１２】
（ｄ）ヒドロトロープ、
を更に含む、請求項８〜１１のいずれか１項に記載の湿し水。
【請求項１３】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項１２に記載の湿し水。
【請求項１４】
ヒドロトロープが、エチルヘキシル硫酸ナトリウムである、請求項１３に記載の湿し水。
【請求項１５】
（ａ）水と、
（ｂ）オクチルピロリドンおよびアルキルチオエーテルの群から選択される１種以上の界面活性剤と、
を含み、
湿し水の動的表面張力の２倍と、湿し水とオフセットリトグラフ印刷用インキとの間の界面張力と、の合計が、６４ダイン／ｃｍ未満である、オフセットリトグラフ印刷用インキのための湿し水。
【請求項１６】
（ｅ）ヒドロトロープ、
を更に含む、請求項１５に記載の湿し水。
【請求項１７】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項１６に記載の湿し水。
【請求項１８】
ヒドロトロープが、エチルヘキシル硫酸ナトリウムである、請求項１７に記載の湿し水。
【請求項１９】
湿し水が、エッチ液の水性希釈液であり、前記動的表面張力および前記界面張力が、表面寿命１秒およびエッチ液濃度６重量％で測定されたものである、請求項１５〜１８のいずれか１項に記載の湿し水。
【請求項２０】
（ａ）水と、
（ｂ）１種以上の界面活性剤と、
を含み、
湿し水の動的表面張力の２倍と、湿し水とオフセットリトグラフ印刷用インキとの間の界面張力と、の合計が、表面寿命１秒およびエッチ液濃度６重量％で６４ダイン／ｃｍ未満である、オフセットリトグラフ印刷用インキのための湿し水。
【請求項２１】
１種以上の界面活性剤が、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体からなる群より選択される、請求項２０に記載の湿し水。
【請求項２２】
１種以上の界面活性剤が、オクチルピロリドンおよびアルキルチオエーテルからなる群より選択される、請求項２１に記載の湿し水。
【請求項２３】
（ｃ）ヒドロトロープ、
を更に含む、請求項２０〜２２のいずれか１項に記載の湿し水。
【請求項２４】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項２３に記載の湿し水。
【請求項２５】
ヒドロトロープが、エチルヘキシル硫酸ナトリウムである、請求項２４に記載の湿し水。
【請求項２６】
（ａ）水と、
（ｂ）オクチルピロリドンおよびアルキルチオエーテルの群から選択される１種以上の界面活性剤と、
を含み、
湿し水の動的表面張力の２倍と、湿し水とオフセットリトグラフ印刷用インキとの間の界面張力と、の合計が、７８ダイン／ｃｍ未満である、オフセットリトグラフ印刷用インキのための湿し水。
【請求項２７】
（ｃ）ヒドロトロープ、
を更に含む、請求項２６に記載の湿し水。
【請求項２８】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項２７に記載の湿し水。
【請求項２９】
ヒドロトロープが、エチルヘキシル硫酸ナトリウムである、請求項２８に記載の湿し水。
【請求項３０】
湿し水が、エッチ液の水性希釈液であり、前記動的表面張力および前記界面張力が、表面寿命１秒およびエッチ液濃度３重量％で測定されたものである、請求項２６〜２９のいずれか１項に記載の湿し水。
【請求項３１】
（ａ）水と、
（ｂ）１種以上の界面活性剤と、
を含み、
湿し水の動的表面張力の２倍と、湿し水とオフセットリトグラフ印刷用インキとの間の界面張力と、の合計が、表面寿命１秒およびエッチ液濃度３重量％で７８ダイン／ｃｍ未満である、オフセットリトグラフ印刷用インキのための湿し水。
【請求項３２】
１種以上の界面活性剤が、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体からなる群より選択される、請求項３１に記載の湿し水。
【請求項３３】
１種以上の界面活性剤が、オクチルピロリドンおよびアルキルチオエーテルからなる群より選択される、請求項３２に記載の湿し水。
【請求項３４】
（ｃ）ヒドロトロープ、
を更に含む、請求項３１〜３３のいずれか１項に記載の湿し水。
【請求項３５】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項３４に記載の湿し水。
【請求項３６】
ヒドロトロープが、エチルヘキシル硫酸ナトリウムである、請求項３５に記載の湿し水。
【請求項３７】
（ａ）水と、
（ｂ）オクチルピロリドンおよびアルキルチオエーテルの群から選択される１種以上の界面活性剤と
を含み、
（ｃ）２０ＮＴＵを超える濁度
を有する、オフセットリトグラフ印刷用インキのための湿し分散液。
【請求項３８】
（ｄ）ヒドロトロープ、
を更に含む、請求項３７に記載の湿し分散液。
【請求項３９】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項３８に記載の湿し分散液。
【請求項４０】
ヒドロトロープが、エチルヘキシル硫酸ナトリウムである、請求項３９に記載の湿し分散液。
【請求項４１】
湿し水が、エッチ液の水性希釈液であり、前記濁度が、エッチ液濃度３重量％で測定されたものである、請求項３７〜４０のいずれか１項に記載の湿し分散液。
【請求項４２】
（ａ）水と、
（ｂ）１種以上の界面活性剤を含むエッチ液と、
を含み、
濁度が、エッチ液濃度３重量％で２０ＮＴＵを超える、オフセットリトグラフ印刷用インキのための湿し分散液。
【請求項４３】
１種以上の界面活性剤が、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体からなる群より選択される、請求項４２に記載の湿し分散液。
【請求項４４】
１種以上の界面活性剤が、オクチルピロリドンおよびアルキルチオエーテルからなる群より選択される、請求項４３に記載の湿し分散液。
【請求項４５】
（ｃ）ヒドロトロープ、
を更に含む、請求項４２〜４４のいずれか１項に記載の湿し分散液。
【請求項４６】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項４５に記載の湿し分散液。
【請求項４７】
ヒドロトロープが、エチルヘキシル硫酸ナトリウムである、請求項４６に記載の湿し分散液。
【請求項４８】
（ａ）湿し水を提供すること、および
（ｂ）湿し水を適用することにより、オフセットリトグラフ印刷の印刷ロスを５％未満に削減すること、
を含み、
湿し水が、水と、１種以上の界面活性剤を含むエッチ液とを含む、オフセットリトグラフ印刷の方法。
【請求項４９】
湿し水が、３０ダイン／ｃｍ未満の動的表面張力を更に有する、請求項４８に記載の方法。
【請求項５０】
前記動的表面張力が、表面寿命０．１秒およびエッチ液濃度５重量％で測定されたものである、請求項４９に記載の方法。
【請求項５１】
湿し液が、１０ダイン／ｃｍ未満の、湿し水とオフセットリトグラフ印刷用インキとの間の界面張力を含む、請求項４８〜５０のいずれか１項に記載の方法。
【請求項５２】
界面張力が、表面寿命１００秒およびエッチ液濃度５重量％で測定される、請求項５１に記載の方法。
【請求項５３】
１種以上の界面活性剤が、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体からなる群より選択される、請求項４８〜５２のいずれか１項に記載の方法。
【請求項５４】
１種以上の界面活性剤が、オクチルピロリドンおよびアルキルチオエーテルからなる群より選択される、請求項５３に記載の方法。
【請求項５５】
湿し水が、ヒドロトロープを更に含む、請求項４８〜５４のいずれか１項に記載の方法。
【請求項５６】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項５５に記載の方法。
【請求項５７】
ヒドロトロープが、エチルヘキシル硫酸ナトリウムである、請求項５６に記載の方法。
【請求項５８】
（ａ）請求項１〜３６のいずれか１項に記載の湿し水と、
（ｂ）オフセットリトグラフ印刷用インキと、
を含み、
印刷ロスが、５％未満である、オフセットリトグラフ印刷システム。
【請求項５９】
オフセットリトグラフ印刷用インキが、４色プロセスセットであり、かつ、オフセットヒートセット輪転印刷法、枚葉印刷法、またはエネルギー線硬化性オフセット印刷法に適合されている、請求項５８に記載のオフセットリトグラフ印刷システム。
【請求項６０】
（ａ）請求項３７〜４７のいずれか１項に記載の湿し分散液と、
（ｂ）オフセットリトグラフ印刷用インキと、
を含み、
印刷ロスが、５％未満である、オフセットリトグラフ印刷システム。
【請求項６１】
オフセットリトグラフ印刷用インキが、４色プロセスセットであり、かつ、オフセットヒートセット輪転印刷法、枚葉印刷法、またはエネルギー線硬化性オフセット印刷法に適合されている、請求項６０に記載のオフセット印刷システム。
【請求項６２】
（ａ）水と、
（ｂ）オクチルピロリドンおよびアルキルチオエーテルの群から選択される１種以上の界面活性剤と
を含み、
（ｃ）３０ダイン／ｃｍ未満の動的表面張力、
を有する、オフセットリトグラフ印刷用インキのためのエッチ液。
【請求項６３】
エッチ液の５重量％水性希釈液の動的表面張力が、３０ダイン／ｃｍ未満である、請求項６２に記載のエッチ液。
【請求項６４】
エッチ液の前記動的表面張力が、表面寿命１秒で測定されたものである、請求項６２または６３に記載のエッチ液。
【請求項６５】
エッチ液の５重量％水性希釈液の前記動的表面張力が、表面寿命０．１秒で測定される、請求項６３または６４に記載のエッチ液。
【請求項６６】
（ｄ）ヒドロトロープ、
を更に含む、請求項６２〜６５のいずれか１項に記載の湿し水。
【請求項６７】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項６６に記載の湿し水。
【請求項６８】
ヒドロトロープが、エチルヘキシル硫酸ナトリウムである、請求項６７に記載の湿し水。
【請求項６９】
（ａ）水と、
（ｂ）１種以上の界面活性剤と、
を含み、
表面寿命１秒でのエッチ液の動的表面張力および表面寿命０．１秒でのエッチ液の５重量％水性希釈液の動的表面張力が、３０ダイン／ｃｍ未満である、オフセットリトグラフ印刷用インキのためのエッチ液。
【請求項７０】
１種以上の界面活性剤が、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体からなる群より選択される、請求項６９に記載のエッチ液。
【請求項７１】
１種以上の界面活性剤が、オクチルピロリドンおよびアルキルチオエーテルからなる群より選択される、請求項７０に記載の湿し水。
【請求項７２】
（ｃ）ヒドロトロープ、
を更に含む、請求項６９〜７１のいずれか１項に記載の湿し水。
【請求項７３】
ヒドロトロープが、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択される、請求項７２に記載の湿し水。
【請求項７４】
ヒドロトロープが、エチルヘキシル硫酸ナトリウムである、請求項７３に記載の湿し水。
【発明の詳細な説明】
【技術分野】
【０００１】
本願は、２０１０年１１月１日出願の米国特許仮出願第６１／４０８，７７２号および２０１１年３月２日出願の同第６１／４４８，３７４号の利益を主張するものであり、それらの両者ともを、本明細書に完全に論述されているかのごとく、全ての目的で参照により本明細書に組み入れる。
【０００２】
本発明は、オフセットリトグラフ印刷用インキの湿し水およびエッチ液（ｆｏｕｎｔａｉｎ  ｅｔｃｈｅｓ）に関し、より詳細には給湿液の送り効率（ｄａｍｐｅｎｉｎｇ  ｆｅｅｄｒａｔｅ  ｅｆｆｉｃｉｅｎｃｙ）を改善し、非画像部の保護を改善し、印刷ロスを削減する、湿し水およびエッチ液に関する。
【背景技術】
【０００３】
オフセット印刷は、インキをつけた画像を刷版からゴムブランケットに転移させ（またはオフセットし）、その後、被印刷物に転移させる印刷技術である。オフセット印刷は、多くの場合、リトグラフ印刷法と共に用いられ、刷版上の疎水性画像部および親水性非画像部への、油性インキと水性湿し水との競合的湿潤に基づく。油性インキは、疎水性画像部を湿潤し、湿し水は、親水性非画像部を湿潤する。湿し水の役割は、湿し水の非存在下では非画像部を完全に湿潤するインキから、非画像部を保護することである。少量のインキが画像部に存在する状態は、「スカミング」と呼ばれ、許容し得ない状態である。
【０００４】
該印刷版は、画像部が非画像部より著しく高くなっている凸版印刷およびフレキソ印刷法とは異なり、画像部と非画像部が著しく同じ平面内にあるため、平版と呼ばれる。画像部は通常、水を排除するが油性インキにより湿潤される低表面エネルギーポリマーからなる。非画像部は通常、インキおよび湿し水の両方により容易に湿潤される様々な独自開発処理による高エネルギーで未加工の酸化アルミニウムである。湿し水は、強い極性引力および弱い非極性引力により非画像部に引き付けられるため、湿し水は、非画像部への弱い非極性引力のみを有するインキに置き換わる。非画像部がインキを含まない状態を保つことが、湿し水の主たる役割である。
【０００５】
オフセットリトグラフ印刷機が、動作している時、湿し水は、平版に直接的に、または印刷版の直前のインキトレイン上でその場で乳化することにより間接的に連続塗布（適用）される。直接湿し（ｄｉｒｅｃｔ  ｄａｍｐｅｎｉｎｇ）と呼ばれる前者の場合、インキの塗布は、湿し水の塗布の直後である。湿し水の完全で均質な皮膜が、続いて塗布されるインキが非画像部の平版を覆うのを防ぐ。印刷版上の湿し水およびインキは、その後、両者ともブランケットに転移され、その後、被印刷物に転移されて、その工程を再度繰り返す。
【０００６】
一部の希少な例において、淡水が湿し水として性能し得るが、様々な成分、例えば電解質、界面活性剤、緩衝液、および水溶性ポリマーなどの湿し水溶液が、良好な性能に必要となる。これらの成分は、刷版の湿潤、均一で効率的な給湿液送り量、および湿し水の均質性、ならびに湿し水とインキおよび被印刷物との相互作用の制御を促進する。給湿液の送り量は、通常、湿しローラの回転速度を調整することにより制御され、回転の設定部は、湿しノッチ（ｆｏｕｎｔａｉｎ  ｎｏｔｃｈｅｓ）と呼ばれる。印刷には、より広範囲のノッチにわたって許容し得る印刷を生じる湿し水が好ましい。
【０００７】
湿し水は一般に、ほとんどの輪転印刷用途ではエッチ液（多くの場合「コンセントレート」と呼ばれる）およびイオン処理水から生成され、特定の輪転印刷用途では場合によりアルコールまたは置換アルコールから生成される。エッチ液は、典型的には水および他の選択的成分（例えば、ガム、合成ポリマー、複合糖質、界面活性剤、溶媒、酸および緩衝剤、減感剤、殺生物剤、パイリング防止剤、およびキレート化剤）を約４０〜８０重量％含む。界面活性剤およびアルコールまたは置換アルコールは、水の表面張力を低下させ、湿し水を印刷版の非画像部に均一に延展して、湿しローラ上により厚くより均質な皮膜を生成することにより、非画像部の湿潤および効率的給湿液送りを促進する作用がある。典型的にはエッチ液は、エッチ液が約３〜６重量％濃度になるように水で希釈されて、湿し水に印刷機の準備を整えさせる。
【０００８】
印刷機が品質問題で作動していない時間は、当該分野において「ダウンタイム」として公知である。ダウンタイムは、典型的には３種の特別な局面：（１）印刷工程の初期始動期である「刷出し」の間；（２）ブランケット洗浄、ウォーターウィンドウ検査（ｗａｔｅｒ  ｗｉｎｄｏｗ  ｔｅｓｔｓ）、修理、作業交代の停止などの様々な理由による動作停止後の再始動；および（３）印刷品質が仕様外である場合の本刷りの間、を含む。ダウンタイムは、生産性を低下させ、紙、インキおよび湿し水を廃棄するため、ダウンタイムを最小にする印刷が、求められている。許容し得る製品を製造するために行われる印刷機の調整は、潜在的に多量の印刷ロスをもたらす可能性があるため、更なる廃棄物への環境影響が存在する。累積的なこれらの廃棄枚数は、インキおよび被印刷物の多量廃棄につながり得る。
【０００９】
被印刷紙上へのオフセットヒートセット輪転印刷の近年の研究において、紙により、印刷コストが８０％を超えて上昇することが見出された。含まれる紙のコストのうち、最大１５％またはそれ以上は、印刷機が発生した廃棄物によるものである。したがって、印刷効率を改善して印刷ロスを削減するオフセットリトグラフ印刷用の湿し水を、開発する必要がある。
【発明の概要】
【発明が解決しようとする課題】
【００１０】
発明の概要
本発明の利点は、オフセットリトグラフ印刷用インキのための湿し水を提供することである。湿し水は、水と、１種以上の界面活性剤とを含み、３０ダイン／ｃｍ未満の動的表面張力を有する。湿し水は、湿し水とオフセットリトグラフ印刷用インキの間の、１０ダイン／ｃｍ未満の界面張力を更に有することができる。湿し水は、エッチ液の水性希釈液であってよい。動的表面張力は、表面寿命（ｓｕｒｆａｃｅ  ａｇｅ）０．１秒およびエッチ液濃度５重量％で測定することができる。界面張力は、表面寿命１００秒およびエッチ液濃度５重量％で測定することができる。
【００１１】
本発明の別の利点は、オフセットリトグラフ印刷用インキのための湿し水を提供することである。湿し水の動的表面張力の２倍と、湿し水とオフセットリトグラフ印刷用インキの間の界面張力と、の合計は、６４ダイン／ｃｍ未満である。湿し水は、エッチ液の水性希釈液であってよい。動的表面張力および界面張力は、表面寿命１秒およびエッチ液濃度６重量％で測定することができる。
【００１２】
本発明の更に別の利点は、オフセットリトグラフ印刷用インキのための湿し水を提供することである。湿し水の動的表面張力の２倍と、湿し水とオフセットリトグラフ印刷用インキの間の界面張力と、の合計は、７８ダイン／ｃｍ未満である。湿し水は、エッチ液の水性希釈液であってよい。動的表面張力および界面張力は、表面寿命１秒およびエッチ液濃度３重量％で測定することができる。
【００１３】
本発明の更に別の利点は、湿し分散液を提供することである。湿し分散液は、水、１種以上の界面活性剤を含み、濁度が２０ＮＴＵを超える。湿し分散液は、エッチ液の水性希釈液であってよい。濁度は、エッチ液濃度３重量％で測定することができる。
【００１４】
本発明の更に別の利点は、オフセットリトグラフ印刷の方法を提供することである。該方法は、湿し水を提供すること、および湿し水を適用するオフセットリトグラフ印刷の印刷ロスを５％未満に削減すること、を含む。該湿し水は、水および１種以上の界面活性剤を含む。
【００１５】
本発明の更に別の利点は、湿し水およびオフセットリトグラフ印刷用インキを含むオフセットリトグラフ印刷システムを提供することであり、該オフセットリトグラフ印刷システムの印刷ロスは、５％未満である。
【００１６】
本発明の更に別の利点は、湿し分散液およびオフセットリトグラフ印刷用インキを含むオフセットリトグラフ印刷システムを提供することであり、該オフセットリトグラフ印刷システムの印刷ロスは、５％未満である。
【課題を解決するための手段】
【００１７】
１種以上の界面活性剤は、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、またはチオール誘導体であってよい。１種以上の界面活性剤は、オクチルピロリドンまたはアルキルチオエーテルであってよい。湿し水は、ヒドロトロープを更に含むことができる。ヒドロトロープは、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムまたはそれらの混合物であってよい。ヒドロトロープは、エチルヘキシル硫酸ナトリウムであってよい。
【００１８】
前述の一般的記載および以下の詳細な記載は両者とも、例示および説明であり、請求される本発明の更なる説明を提供することを意図している。
【００１９】
本発明の更なる理解を提供するために含まれ、本明細書に組み入れられてその一部を構成している添付の図面は、本発明の実施形態を示し、記述と一緒になって本発明の原理を説明するためのものである。
【図面の簡単な説明】
【００２０】
【図１】印刷の試行Ａ〜Ｆの廃棄枚数の比較を示す図表である。
【発明を実施するための形態】
【００２１】
ここに、本発明の実施形態を詳細に参照するが、その実施例は、添付の図面に例示されている。
【００２２】
表面張力は、隣接分子の間の分子間引力であり、単位幅あたりの力、例えばダイン／センチメートル（ダイン／ｃｍ）（１ダイン／ｃｍ＝１×１０−５Ｎ／ｃｍ）で表される。液滴または泡の形成など、水性界面活性剤溶液が膨張すると、表面または界面張力が動的になり、平衡状態でなくなる。表面は、新しい表面と古い表面との複合体であり、球形構造ではその形成時間の３／７が計算され、表面寿命と呼ばれる。拡散律速反応速度において、平衡状態は、界面活性剤の拡散係数、脱着係数、体積粘性率、および体積界面活性剤濃度により定義される。表面寿命の経過にしたがって表面／界面張力が、平衡が得られるまで低下されると、吸着速度が脱着速度と等しくなり、平衡または静的な表面張力が得られる。
【００２３】
動的表面張力は、印刷業界の当業者に公知の従来法により測定することができる。本発明において、動的表面張力は、Kruss DSA 100（液滴形状分析システム）を用いて懸滴法により、またはTracker懸滴張力計を用いて、室温および特定の表面寿命で測定される。オフセットリトグラフ印刷法において、エッチ液は、典型的にはオフセットリトグラフ印刷法に適用される、またはそれにおいて用いられる前に、脱イオン水で、希釈されたエッチ液（「湿し水」とも呼ばれる）の重量に基づいて約３〜６重量％に希釈される。湿し水の動的表面張力は、希釈されたエッチ液（３〜６重量％）の動的表面張力を指す。
【００２４】
界面張力は、通常は液体−液体または液体−固体の、２相間の表面張力である。例えば、湿し水とオフセットリトグラフ印刷用インキの間の界面張力は、湿し水とオフセットリトグラフ印刷用インキｔｐの間、または該インキと印刷版の画像部との間の動的表面張力である。本発明において、界面張力は、Kruss DSA 100（液滴形状分析システム）を用いて懸滴法により、またはTracker懸滴張力計を用いて、室温および特定の表面寿命で測定される。本発明において、界面張力は、希釈されたエッチ液（３〜６重量％）とオフセットリトグラフ印刷用インキの間の界面張力を指す。界面張力を測定する際に、オフセットリトグラフ印刷用インキは、オイルで５重量％に希釈される。オイルは、例えば、Magie 470オイルであってよい。希釈されたエッチ液（３〜６重量％）とオフセットリトグラフ印刷用インキの間の界面表面張力は、希釈されたエッチ液（３〜６重量％）とMagie 470オイルの間の界面表面張力に近似しているため、Magie 470オイルを、界面張力測定の際にオフセットリトグラフ印刷用インキの代わりに用いることができる。
【００２５】
任意の理由で印刷が停止される各時点で、許容し得る品質の印刷物が再度製造されるように、印刷機の設定を調整するための次の始動工程が必要になる。日常的な印刷機停止に加えて、印刷機は、典型的には本刷りの際に定期的に停止させてウォーターウィンドウ検査を実施し、印刷品質維持を援助する。スカミングの兆候が印刷シート上に認められるまで、水の設定を低下させる。その後、密度が許容し得なくなるまで、水の設定を上昇させる。ウォーターウィンドウは、スカミングポイントと消失ポイントとの給湿液の設定差である。スカミングポイントは、スカミングの兆候が印刷シート上に認められるまで、給湿液送り量の設定を低下させることにより得られる。消失ポイントは、光学密度が急速に降下するまで、給湿液送り量を増加させることにより得られる。
【００２６】
ここに、１種以上の界面活性剤および／またはヒドロトロープをエッチ液に添加すると、脱イオン水で５重量％に希釈されたエッチ液（湿し水）の動的表面張力が、表面寿命０．１秒で３０ダイン／ｃｍ未満になり、湿し水とリトグラフ印刷用インキの間の界面張力が、表面寿命１００秒で１０ダイン／ｃｍ未満になることが見出された。オフセットリトグラフ印刷法においてこの湿し水を用いると、印刷物の品質を回復させる２種類の停止のための合計印刷数が少なくなる。本刷りの印刷ロスは、５％未満に削減される。この適用において、印刷ロスは、本刷りにおける合計印刷数に対する、最初の始動（「刷出し」）および再始動に起因する印刷数の百分比として表される。低い表面張力が、給湿システムおよび印刷版の非画像部上の皮膜でさえも効率的な供給を促進し、湿し水とオフセットリトグラフ印刷用インキの間の低い界面張力が、より急速な乳化速度をもたらすことが提示される。
【００２７】
１種以上の界面活性剤および／またはヒドロトロープをエッチ液に添加すると、表面寿命０．１秒でのエッチ液の動的表面張力が、３０ダイン／ｃｍ未満になることも見出された。湿し水の動的表面張力の２倍と、湿し水とオフセットリトグラフ印刷用インキ（Magie 470オイル）の間の界面張力と、の合計は、エッチ液の濃度６重量％および表面寿命１秒で６４ダイン／ｃｍ未満となり、エッチ液の濃度３重量％および表面寿命１秒で７８ダイン／ｃｍ未満となる。湿し水の動的表面張力の２倍と界面張力との合計は、効率的な送り量、より均質な刷版の湿潤、およびより急速な乳化をもたらす特性の体系を表す。オフセット印刷法においてこの湿し水を用いると、印刷の品質を回復させる２種の停止のための合計印刷数が少なくなる。本刷りの印刷ロスは、５％未満に削減される。
【００２８】
エッチ液が、脱イオン水で、希釈されたエッチ液の重量に基づき約３〜６重量％に希釈されると、エッチ液が、水により湿し分散液を形成することも見出された。湿し分散液の濁度を、測定した。特に、該湿し分散液（３重量％）は、１０ＮＴＵ（比濁計濁度単位）を超える濁度を有する。好ましくは該湿し分散液（３重量％）は、２０ＮＴＵを超える濁度を有する。
【００２９】
本発明において使用される界面活性剤は、非イオン性である。適切な非イオン性界面活性剤としては、エトキシル化直鎖状アルコール、エトキシル化アルキルフェノール、脂肪酸エステル、アミン／アミド誘導体、アルキルポリグルコシド、エチレンオキシド／プロピレンオキシドコポリマー、ポリアルコール、エトキシル化ポリアルコール、チオール（メルカプタン）、およびチオール誘導体が挙げられる。これらの界面活性剤のうち、オクチルピロリドンおよびアルキルチオエーテルが、特に好ましい。界面活性剤の量は、エッチ液の重量に基づいて０．１〜１０重量％の範囲内であろう。
【００３０】
本発明において用いられるヒドロトロープは、無機および有機イオンを有する電解質である。ヒドロトロープは、非イオン性界面活性剤の水への可溶化を支援することができる。適切なヒドロトロープは、アルキル硫酸ナトリウム、トルエンスルホン酸ナトリウム、キシレンスルホン酸ナトリウム、クメンスルホン酸ナトリウム、テルペンスルホン酸ナトリウム、トルエンスルホン酸アンモニウム、キシレンスルホン酸アンモニウム、クメンスルホン酸アンモニウム、硫酸水素テトラブチルアンモニウム、テトラフェニルホスホニウムブロミド、テトラブチルアンモニウムブロミド、チオシアン酸ナトリウムおよびそれらの混合物からなる群より選択されるものである。これらの界面活性剤のうち、オクチルピロリドンおよびアルキルチオエーテルが、特に好ましい。ヒドロトロープの量は、エッチ液の重量に基づいて０．１〜１０重量％の範囲内であろう。
【００３１】
エッチ液は一般に、複数の他の成分を含有する。これらの成分は、保護コロイド、例えば水溶性ガム、アラビアガム、セルロースガムを含むことができる。これらのポリマーは一般に、刷版の非画像部がインキに汚染されるのを予防し、非画像部を親水性に保つための助けとなるよう用いられる。一般に保護コロイドの量は、エッチ液の重量に基づいて、０．５〜１５重量％の範囲内であろう。エッチ液中で用いられ得る他の成分としては、殺生物剤、腐食防止剤、消泡剤、染色剤などが挙げられる。エッチ液は、アルコールまたは置換アルコールを含有することもできる。置換アルコールとしては、エチレングリコール、プロピレングリコールなどが挙げられる。
【００３２】
エッチ液は、所望のｐＨを保持するのに効果的な酸および緩衝塩を含有することもできる。湿し水は、好ましくは約３．５〜５．５のｐＨを有する水性酸溶液として用いられる。リン酸は一般に、配合剤を酸性化する際に用いられる。他の酸としては、無機酸および有機酸、例えば酢酸、硝酸、硫酸、グリコール酸、クエン酸、フタル酸、リンゴ酸およびそれらの混合物が挙げられる。緩衝塩は、リン酸水素二ナトリウム、リン酸水素二カリウム、フタル酸水素ナトリウム、フタル酸水素カリウム、リン酸二水素ナトリウム、リン酸二水素カリウム、酢酸ナトリウム、クエン酸ナトリウム、グリコール酸ナトリウムなどを含むことができる。
【００３３】
１種以上の界面活性剤および／またはヒドロトロープをエッチ液に添加して、より低い動的表面張力および界面張力にすれば、湿し水の使用量削減など多数の重要な利益がもたらされ、印刷機に迅速な刷出し時間、および印刷ロス（被印刷物の廃棄物）の総量の削減が提供される。
【実施例】
【００３４】
実施例１〜８：材料を高速ミキサーで均質になるまで混合することにより、インキを検査用に調製した。インキの組成（インキに基づく重量％として示す）を、表１に列挙する。
【表１】
2013544680.tif 000003
【００３５】
インキを調製するのに用いられた上記原材料の説明を、表２に列挙する。
【表２】
2013544680.tif 000004
【００３６】
インキは、印刷用４色プロセスインキであり、オフセットリトグラフ印刷法において湿し水と組み合わせて用いた。
【００３７】
実施例９：エッチ液を配合し、均質になるまで物理的に混合した。組成を、表３に列挙する。
【表３】
2013544680.tif 000005
【００３８】
実施例１０：エッチ液を配合し、均質になるまで物理的に混合した。組成を、表４に列挙する。
【表４】
2013544680.tif 000006
【００３９】
実施例１１：エッチ液を配合し、均質になるまで物理的に混合した。組成を、表５に列挙する。
【表５】
2013544680.tif 000007
【００４０】
実施例１２：５重量％濃度の実施例９〜１１の動的表面張力
【００４１】
実施例９〜１１（５重量％濃度のエッチ液）の動的表面張力を、Kruss DSA 100（液滴形状分析システム）を用いて懸滴法により表面寿命０．１秒および室温で測定した。動的表面張力を、表６に列挙する。
【表６】
2013544680.tif 000008
【００４２】
実施例１３：５重量％濃度の市販エッチ液の動的表面張力
【００４３】
Rycolineから得た２種の市販湿し水（ACFS 168およびACFS 4600）も、比較の目的で検査した。ACFS 168およびACFS 4600（エッチ液の５重量％水性希釈液）の動的表面張力を、Kruss DSA 100（液滴形状分析システム）を用いて懸滴法により表面寿命０．１秒および室温で測定した。動的表面張力を、表７に列挙する。
【表７】
2013544680.tif 000009
【００４４】
実施例１４：実施例５のインキと湿し水の間の界面張力
【００４５】
実施例５のインキ（Magie 470オイルで５重量％インキに希釈）と上記の湿し水（５重量％濃度）との間の界面張力を、Kruss DSA 100（液滴形状分析システム）を用いて懸滴法により１００秒および室温で測定した。結果を、以下の表８に示す。
【表８】
2013544680.tif 000010
【００４６】
実施例１５：実施例６のインキと湿し水の間の界面張力
【００４７】
実施例６のインキ（Magie 470オイルで５重量％インキに希釈）と上記の湿し水（５重量％濃度）との間の界面張力を、Kruss DSA 100（液滴形状分析システム）を用いて懸滴法により１００秒および室温で測定した。結果を、以下の表９に示す。
【表９】
2013544680.tif 000011
【００４８】
実施例１６：実施例７のインキと湿し水の間の界面張力
【００４９】
実施例７のインキ（Magie 470オイルで５重量％インキに希釈）と上記の湿し水（５重量％濃度）との間の界面張力を、Kruss DSA 100（液滴形状分析システム）を用いて懸滴法により１００秒および室温で測定した。結果を、以下の表１０に示す。
【表１０】
2013544680.tif 000012
【００５０】
実施例１７：実施例８のインキと湿し水の間の界面張力
【００５１】
実施例８のインキ（Magie 470オイルで５重量％インキに希釈）と上記の湿し水（５重量％濃度）との間の界面張力を、Kruss DSA 100（液滴形状分析システム）を用いて懸滴法により１００秒および室温で測定した。結果を、以下の表１１に示す。
【表１１】
2013544680.tif 000013
【００５２】
表８〜１１は、実施例９の湿し水を実施例５〜８のインキと組み合わせて用いて、１０ダイン／ｃｍ未満の界面表面張力を有するオフセットリトグラフ印刷システムを提供することを示している。
【００５３】
実施例１８：実施例９〜１０および市販のエッチ液の動的表面張力
【００５４】
実施例９〜１０および１５種の市販のエッチ液の動的表面張力を、Tracker懸滴張力計を用いて、２２℃の室温条件下、表面寿命１秒で測定した。表１２に、実施例９〜１０および１５種市販のエッチ液の動的表面張力を示す。
【表１２】
2013544680.tif 000014
【００５５】
実施例１９：湿し水の動的表面張力の２倍と、湿し水とMagie 470インキオイルの界面張力と、の合計
【００５６】
実施例９〜１０および１５種の市販のエッチ液を、水で６重量％および３重量％に希釈した。２５０μＬシリンジ、外装にクリープを防ぐテフロン（登録商標）スリーブを有する１８ゲージ滴下針を用いて、２２℃の室温条件下、Tracker懸滴張力計により、動的表面張力および動的界面張力を測定した。表面寿命（ＳＡ）を、式：
【００５７】
ＳＡ＝３／７×液滴形成時間＋静的滞空時間
を利用して決定した。
【００５８】
実施例１９の測定全ての表面寿命は、１秒である。動的表面張力を計算するのに用いられる落下する液滴は、密封されたキュベット内にあり、測定時のその顕著な蒸発が防止された。界面張力を計算するのに用いられた落下した液滴を、キュベットに含まれるMagie 470インキオイルに懸濁させた。
【００５９】
表１３は、動的表面張力、界面張力、ならびに得られた動的表面張力の２倍と界面張力との合計を示す。
【表１３】
2013544680.tif 000015
【００６０】
表１３に示す通り、３重量％および６重量％の実施例９〜１０は、検査した湿し水のうちで最低の、動的表面張力ならびに動的表面張力の２倍と界面張力との合計を有する。
【００６１】
実施例２０：湿し分散液
【００６２】
実施例９〜１０および１５種の市販のエッチ液を、脱イオン水で３重量％に希釈した。試料は全て、濁度測定の比濁計による原理で動作するHach Model 2100P Portable Turbidimeterを用いた濁度について測定した。機器の較正は、販売されているGelex標準（１０，１００および１０００ＮＴＵ）を用いて実施した。濁度データを、表１４に示した。
【表１４】
2013544680.tif 000016
【００６３】
表１４に示された通り、３重量％の実施例９〜１０は、検査された試料全てのうちで最も高い濁度を有する。
【００６４】
実施例２１：湿し水の使用量
【００６５】
インキおよび湿し水の６種の組み合わせを、印刷工程における湿し水の使用量について検査した。結果を、以下の表１５に示す。
【表１５】
2013544680.tif 000017
【００６６】
負の値（−）は、実施例１〜４のインキとACFS 4600湿し水との組み合わせである標準ベースラインセットと比較して、より少量の湿し水が用いられたことを意味する。検査３は、印刷機の湿し水の使用量または消費量に関する好ましい実施形態を表すが、インキと湿し水の他の組み合わせを用いて、印刷機における湿し水の消費を削減し得ることも明白である。
【００６７】
実施例２２：印刷効率
【００６８】
６つの印刷試行を、Heidelberg M3000オフセットヒートセット輪転機で、下記のインキ／湿し水の組み合わせを用いて実施し、４５＃坪量の被印刷紙に印刷した。停止させた後、２種の停止期間に測定を実施して、印刷機を許容し得る印刷品質まで回復させるのに必要な印刷数を決定した。６つの試行で、以下のインキセットと湿し水との組み合わせを利用した。
【００６９】
試行Ａ：実施例５〜８のインキと５重量％実施例９湿し水との組み合わせ
【００７０】
試行Ｂ：実施例１〜４のインキと５重量％実施例９湿し水との組み合わせ
【００７１】
試行Ｃ：実施例１〜４のインキと５重量％ACFS 168湿し水との組み合わせ
【００７２】
試行Ｄ：実施例１〜４のインキと５重量％ACFS 4600湿し水との組み合わせ
【００７３】
試行Ｅ：実施例５〜８のインキと５重量％ACFS 4600湿し水との組み合わせ
【００７４】
試行Ｆ：実施例５〜８のインキと５重量％ACFS 168湿し水との組み合わせ
【００７５】
結果を図１に示すが、それにはこれらの２種の停止期間のそれぞれについて、許容し得る印刷品質を回復するのに必要となった実際の印刷数を示している。最初の停止期間は、任意の数の理由のためにあり得る日常的な印刷機停止であった（これは、図１において「始動」と示され、グラフの各棒の下部分により表される）。２つ目の停止期間は、ウォーターウィンドウ検査を実施するための印刷機停止であった（これは、図１において「本刷り」と示され、グラフの各棒の上部分により表される）。
【００７６】
このデータは、各試行の相対的効率を示すグラフの形態で示される。時間を節約し、被印刷物の廃棄を最小限にするためには、可能な限り少ない検査枚数を用いて（時間および廃棄物を削減して）印刷機を許容し得る印刷品質に回復させることが、好適である。図１で明白に認められるであろうが、試行Ａは、これらの２種の停止期間について、印刷品質を回復させるのに必要となる合計印刷数が最少であった。この廃棄物の削減は、より迅速な本刷りおよび環境影響の改善を提供する。
【００７７】
加えて、長期の４色プロセス商業印刷を、Gross Graphic M3000高速印刷機を用いて６ヶ月にわたり実施して、３０＃の新聞用原紙から７０＃の塗工原紙まで様々な紙におよそ２５，０００，０００枚の印刷物を製造した。累積結果を、以下の表１６に示す：
【表１６】
2013544680.tif 000018
【００７８】
全印刷数の合計に対する百分比して表した廃棄物の結果は、最初の始動（「刷出し」）および再始動に起因した。２種の組み合わせ（実施例１〜４のインキと５重量％ACFS 168；ならびに実施例５〜８のインキと５重量％ACFS 168）が、色の安定性問題のため高速印刷に適さないことが見出され、中止した。実施例５〜８のインキと５重量％の実施例９の湿し水との組み合わせも、スカミングのため中止した。
【００７９】
例示されたシステムでの最小廃棄発生数（２．８％）は、廃棄物を削減するため、より効率的な印刷性能（許容し得る品質で所定の数を製造するのに必要となる印刷数がより少なく、時間がより短い）、および肯定的な環境影響も示す。
【００８０】
加えて、表１６は、２５，０００，０００の本刷りにおいて実施例５〜８のインキと５重量％の実施例９の湿し水との組み合わせを用いることにより実現された、効率の改善および廃棄物削減の規模を示している。５重量％の実施例９の湿し水を含むシステムは、市販の湿し水を含む２種のシステムよりも、廃棄枚数の発生が百万枚少なかった。
【００８１】
本発明の趣旨および範囲を逸脱することなく、様々な改良および変更を本発明において施し得ることは、当業者には明白であろう。つまり本発明は、添付の特許請求の範囲およびその均等物の範囲に含まれることを条件に、本発明の改良および変更を包含するものとする。
【図１】
2013544680.tif 000019
【国際調査報告】
2013544680.tif 000020
2013544680.tif 000021
2013544680.tif 000022
2013544680.tif 000023
2013544680.tif 000024